(57)【特許請求の範囲】
【請求項１】
書き込み可能な記録媒体を収納したカートリッジと、前記カートリッジを装填する挿入口を有し、前記記録媒体へ情報信号を記録し、かつ前記記録媒体から情報信号を再生する本体と、前記カートリッジの挿入排出動作に伴って前記本体の挿入口を開閉するように取り付けた扉と、前記扉の表面に設けた複数個のキズ防止用の突起とを備えた情報記録再生装置において、前記突起は高さを変えて形成し、一番高く、かつ挿入時に前記カートリッジのシャッタに接触しない位置に配置された突起のみが前記カートリッジを通常挿入させたときに前記カートリッジと接触するように構成したことを特徴とする情報記録再生装置。
【請求項２】
書き込み可能な記録媒体を収納したカートリッジと、前記カートリッジを装填する挿入口を有し、前記記録媒体へ情報信号を記録し、かつ前記記録媒体から情報信号を再生する本体と、前記カートリッジの挿入排出動作に伴って前記本体の挿入口を開閉するように取り付けた扉と、前記扉の表面に設けた複数個のキズ防止用の突起とを備えた情報記録再生装置において、前記突起は高さと幅を変えて形成し、一番高くかつ一番幅広く、前記カートリッジのシャッタに接触しない位置に配置された突起のみが前記カートリッジを通常挿入したときに前記カートリッジと接触するように構成したことを特徴とする情報記録再生装置。
【請求項３】
請求項１または2のうちいずれか一項記載の情報記録再生装置において、一番高く形成した突起の先端を凹形状に形成したことを特徴とする情報記録再生装置。
【発明の詳細な説明】
【０００１】
【発明の属する技術分野】
本発明は、カートリッジに収納した書き込み可能な記録媒体へ情報信号を記録再生する情報記録再生装置において、カートリッジの挿入口にゴミ等の混入防止するための扉を備えた情報記録再生装置に関するものである。
【０００２】
従来、ＭＤ（ミニディスク）等のカートリッジを装填し、情報信号を記録再生する情報記録再生装置においては、カートリッジの挿入口にゴミ等が混入するのを防止するために、平板状の扉を取り付けていた。この挿入口に設けた扉は、カートリッジの挿入時に、カートリッジの側面を扉の表面へ押し当て、カートリッジの挿入操作に伴って、上方向に扉を押し上げて開くように構成していた。この扉を開く操作は、カートリッジを装填するたびに繰り返し行われるため、扉の表面にキズが付き、見苦しくなるという問題点があった。また扉に傷が着くほかに、扉の表面に印刷が施されている場合は、印刷が剥がれるという問題点があった。
【０００３】
この扉に付くキズや印刷剥がれを防ぐ方法としては、図７および図８に模式的に示すように、扉１の表面のやや左寄りの２箇所の位置に、間隔を置いて突起２および突起３を設けていた。このように、突起２、３を扉１の表面に設けることによって、扉１を押し開く際に、カートリッジ４の側面が直接扉１に当ることがなくなり、キズはこの突起２、３にのみ付くだけで、扉１の表面全体としては、キズや印刷剥がれによる見苦しさを軽減することができた。なお、符号９はＭＤプレーヤ装置の本体を示す。
【０００４】
また、キズ防止用の突起２，３は、扉１のやや左寄りの位置に設けている。このことは、図７に示すように、カートリッジ４が指定通りの正しい向きで挿入されることを前提として、図８に示すように、カートリッジ４のシャッタ５へ突起２、３が当ることがないように、やや左寄りの位置へ設けていた。しかし、カートリッジ４が、例えば、図９で模式的に示すように、逆向きに誤挿入された場合は、図１０で模式的に示すように、突起２がカートリッジ４のシャッタ５へ当る虞があった。
【０００５】
そこで、従来は、突起２がシャッタ５に当る位置にある場合であっても、突起２へシャッタ５が引っかかり、カートリッジ４が取り出せなくなるとういトラブルの発生を防ぐために、扉１と、突起２と、シャッタ５と、誤挿入ストッパ６との位置関係を、次の条件が成立するように、その配置を設定する必要があった。
【０００６】
まず、図１１に模式的に示すように、シャッタ５の一端から誤挿入ストッパ６までの距離をＡとし、また、扉１が閉じた状態にある時の突起２の先端から誤挿入ストッパ６までの距離をＢとし、さらに、扉１が閉じた状態にあるときの突起２の先端から扉１が完全に開いた状態にある時の突起２の下端部までの距離をＣとしたときに、条件「Ｂ≦Ａ＋Ｃ」の関係が成立するように、それぞれの位置を設定する必要があった。なお、符号８は記録再生用メカニズムを示す。
【０００７】
上記の条件を満足するように、扉１と、突起２と、シャッタ５と、誤挿入ストッパ６との位置関係を設定することによって、カートリッジ４の誤挿入時においても、図１１に示すように、突起２は、常に、シャッタ５の上面と接触する範囲の位置にあるように設定することができ、図１２に模式的に示すように、突起２がシャッタ５から外れた状態とならないようにしていた。この結果、カートリッジ４を取り出す際、図１３で模式的に示すようなトラブル、すなわち、突起２にシャッタ５の端部が当って引っかかり、カートリッジ４を取り出すことができなくなるようなトラブルの発生を防止していた。
【０００８】
また、従来の情報記録再生装置においては、図１４に模式的に示すように、カートリッジ４の挿入口に設けた扉１の裏面において、表面に設けた突起２、３と同様の形状をした摩擦抵抗軽減用の突起７を設けたものがある。
【０００９】
この摩擦抵抗軽減用の突起７は、カートリッジ４を取り出す際に、そのカートリッジ４の上面と、扉１の裏面（特に、裏面の下端部）とが直接接触しないようにし、カートリッジ４の排出動作に影響を与えないようにしている。すなわち、この摩擦抵抗軽減用の突起７を設けることによって、カートリッジ４を取り出す際に、図１５に模式的に示すように、扉１の裏面と、カートリッジ４の上面との間に隙間を形成することができる。したがって、カートリッジ４の上面と直接摺動接触するのは、接触面積の小さい突起７の部分のみとなり、摩擦抵抗の軽減を図ることができ、カートリッジ４の排出動作をスムーズに行うことができるようにしていた。
【００１０】
【発明が解決しょうとする課題】
上記した従来の情報記録再生装置にあっては、図１１で示したような条件にもとづき、それぞれの位置関係を設定し配置すると、誤挿入ストッパ６と扉１との位置関係に制限があり、情報記録再生装置本体の前面パネルのデザインに影響を与えるという問題点があった。
【００１１】
この問題点を解消するために、図１１で示した条件の位置関係ではなく、例えば、図１２で示すような位置関係、すなわち、この時の条件を「Ｂ＞Ａ＋Ｃ」とすると、誤挿入ストッパ６と扉１との位置関係に制限はなくなる。しかし、図１３に示すように、カートリッジ４を取り出す際に、シャッタ５に突起２が当って引っかかり、カートリッジ４を取り出すことができなくなるというトラブルを発生する問題点があった。
【００１２】
さらに、従来のＭＤ等のカートリッジを装填し、情報信号を記録再生する情報記録再生装置にあっては、図１１に示す記録再生メカニズム８には、誤挿入ストッパ６の位置に制限がある。したがって、記録再生メカニズム８の設計時においては、寸法Ｄには制約があり、扉１と、突起２と、シャッタ５と、誤挿入ストッパ６との位置関係も当然制限され、位置を自由に設定することができないという問題点があった。
【００１３】
本発明は、カートリッジの誤挿入時に、扉の表面に設けたキズ防止用の突起がカートリッジのシャッタに当ることがなく、確実に、カートリッジを取り出すことができるようにすると共に、誤挿入ストッパと扉等の位置関係に制限なく配置することができるようにすることを目的としている。
【００１４】
【課題を解決するための手段】
本発明の情報記録再生装置は、書き込み可能な記録媒体を収納したカートリッジと、このカートリッジを装填する挿入口を有し、記録媒体へ情報信号を記録し、かつ記録媒体から情報信号を再生する本体と、カートリッジの挿入排出動作に伴って本体の挿入口を開閉するように取り付けた扉と、この扉の表面に設けた複数個のキズ防止用の突起とを備えた情報記録再生装置において、上記突起の内、一番高く、かつ挿入時に前記カートリッジのシャッタに接触しない位置に配置された突起の１個のみを通常挿入させたときカートリッジと接触するように構成したものである。
【００１６】
また、上記の突起は、高さ、または高さと幅を変えて形成し、一番高く形成した突起、または一番高くかつ一番幅広く形成した突起のみをカートリッジと接触するように構成することが効果的である。
【００１７】
さらに、上記高さと幅を変えて形成した突起は、その先端を凹形状に形成することが好ましい。
【００１８】
【発明の実施の形態】
以下、本発明の情報記録再生装置を実施の一形態にもとづき図面を参照して説明する。
【００１９】
図１は、ＭＤ（ミニディスク）を用いて情報信号の記録再生を行うＭＤプレーヤ装置に、本発明を実施した一例を示すものである。図１において模式的に示すように、ＭＤプレーヤ装置の本体９には、ＭＤを収納したカートリッジ４を装填する挿入口１０を設けている。この挿入口１０には、ゴミ等が本体９内へ混入するのを防ぐ扉１を設けている。
【００２０】
この扉１は、比較的柔軟性のある樹脂部材で平板状に形成され、その左右上端部を軸にして回転できるように本体９へ取り付けている。また、この扉１の開閉動作は、カートリッジ４の挿入操作に伴って、カートリッジ４の側面によって押されて回転し、本体９内へ押し上げられて挿入口１０を開くように構成している。
【００２１】
図１に示したＭＤプレーヤ装置は、上記のように構成された扉１の表面やや左寄りに、間隔をあけて２個の突起１１、１２を設けている。図２に模式的に示すように、この右側の突起１１は、高さＦ、幅Ｅの寸法で形成している。もう一方の左側の突起１２は、高さＧ、幅Ｈの寸法で形成している。この突起１１と突起１２の寸法の違いは、高さが「Ｆ＞Ｇ」、幅が「Ｅ＞Ｈ」で形成し、図２からも明らかなように、いずれも、右側の突起１１の方が大きく形成している。さらに、この右側の突起１１は、扉１の表面の中央付近に設けられ、カートリッジ４が誤挿入された場合であっても、カートリッジ４のシャッタ５に当らないように配置している。
【００２２】
このように、右側の突起１１を高さＦ、幅Ｅに形成すると共に、左側の突起１２よりも高さを高くかつ幅を広く形成することによって、図２に模式的に示すように、カートリッジ４が正しい向きで挿入された通常挿入操作状態においては、右側の突起１１のみがカートリッジ４の上面と接触することになる。一方、左側の突起１２は、右側の突起１１よりも小さく形成しているため、カートリッジ４とは接触することがない離れた位置にあり、カートリッジ４の挿入、および排出動作には全く影響を与えることがない。
【００２３】
また、図３に模式的に示すように、カートリッジ４が誤挿入された場合も、右側の突起１１の高さＦが左側の突起１２の高さＧよりも高いため、右側の突起１１のみがカートリッジ４の上面と接触する。左側の突起１２は、カートリッジ４のシャッタ５の上方へ離れた位置にあり、シャッタ５とは接触することはない。したがって、カートリッジ４を取り出す際に、左側の突起１２がシャッタ５に当って引っかかるようなトラブルの発生を防ぐことができる。
【００２４】
また、図４に模式的に示すように、右側の突起１１の幅Ｅと左側の突起１２の幅Ｈとの関係「Ｅ≧Ｈ」と、カートリッジ４の挿入口１０と右側の突起１１との距離Ｋとの組み合わせにより、左側の突起１２とシャッタ５との間に隙間Ｊを設けることができる。この隙間Ｊによって、誤挿入されたカートリッジ４が斜めの状態で挿入又は取り出された場合であっても、左側の突起１２がシャッタ５へ当ることがないように構成することができ、カートリッジ４の挿入口１０の開口部を広く形成することが可能となった。
【００２５】
次に、扉１に設けた左側の突起１２の役割について説明する。扉１を形成する材質が、カートリッジ４を構成する材質よりも柔らかい部材で作られているため、例えば、カートリッジ４を時計方向に付勢しながら、カートリッジ４の挿入操作を行った場合、扉１は撓んで変形し、カートリッジ４の左側の側面が扉１の表面へ当ることになり、扉１の表面にキズが付く虞がある。左側の突起１２は、このような状態が発生しても、扉１の表面へキズが付くのを防ぐ働きをするように設けている。
【００２６】
図５は、上記のように構成した扉１の表面に設けたキズ防止用の２個の突起１１、１２に加えて、扉１の裏面に摩擦抵抗軽減用の２個の突起１３、１４を設けた一例を模式的に示している。この２個の摩擦抵抗軽減用の突起１３、１４は、扉１の表面に設けた２個の突起１１、１２と同様に、右側の突起１３を高さ、幅ともに、左側の突起１４よりも大きく形成している。
【００２７】
上記のように、大きさの異なる２個の突起１３、１４を扉１の裏面へ設けることによって、カートリッジ４が通常状態で取り出される場合は、右側の大きな突起１３のみがカートリッジ４の上面と接触し、左側の突起１４は、カートリッジ４とは接触しない位置にある。また、カートリッジ４が誤挿入された場合においても、左側の突起１４は、カートリッジ４のシャッタ５の上方に位置し、接触することはないから、図１４および図１５で示す従来の摩擦抵抗軽減用の突起７のように、シャッタ５が突起７に当って引っかかり、カートリッジ４が取り出せなくなるというようなトラブルの発生を未然に防止することができる。
【００２８】
さらに、図５および図６で示すように、扉１の表面および裏面に設けた高さ、幅ともに大きく形成した右側の突起１１および１３の先端部分を凹形状に形成している。このように、右側の突起１１および１３の先端部分を凹形状に形成することによって、カートリッジ４との接触面積を小さくすることができるため、カートリッジ４と接触した際の摩擦抵抗を軽減することができる。
【００２９】
【発明の効果】
本発明は、以上説明したように構成されているので、カートリッジの挿入時に、キズ防止用の突起、および摩擦抵抗軽減用の突起がカートリッジのシャッタ等に当って引っかかるトラブルの発生を未然に防止することができるため、カートリッジを確実に取り出すことができ、また、カートリッジの誤挿入時に対応するための誤挿入ストッパと扉等の位置関係に制約がなくなり、パネルデザインを自由に行うことが可能となった。
【００３０】
また、カートリッジのシャッタがキズ防止用の突起、あるいは摩擦抵抗軽減用の突起と当り引っかかるというトラブルの発生を未然に防止することができるため、誤挿入ストッパを設ける位置に制限がなくなり、記録再生メカニズムの設計自由度を広げることが可能になった。また、カートリッジが斜めに挿入された場合も、キズ防止用の突起に当ることがなくなるため、カートリッジの挿入口を広く形成することが可能となり、カートリッジの挿入操作を容易にすることができる。
【図面の簡単な説明】
【図１】本発明にかかる情報記録再生装置の実施の一形態を模式的に示す斜視図である。
【図２】図１に示した情報記録再生装置の動作説明をするための概略構成を模式的に示す正面図である。
【図３】図１に示した情報記録再生装置の動作説明をするための概略構成を模式的に示す正面図である。
【図４】図１に示した情報記録再生装置の動作説明をするための概略構成を模式的に示す正面図である。
【図５】扉に設けた突起の他の実施例を模式的に示す平面図である。
【図６】図５に示した突起の主要部分を模式的に示す側面図である。
【図７】従来の情報記録再生装置を模式的に示す斜視図である。
【図８】図７に示した情報記録再生装置の動作説明をするための概略構成を模式的に示す正面図である。
【図９】従来の情報記録再生装置において、カートリッジの誤挿入例を模式的に示す斜視図である。
【図１０】図９に示した情報記録再生装置の動作説明をするための概略構成を模式的に示す正面図である。
【図１１】図９に示した情報記録再生装置の動作説明をするための概略構成を模式的に示す側面図である。
【図１２】図９に示した情報記録再生装置の動作説明をするための概略構成を模式的に示す側面図である。
【図１３】図９に示した情報記録再生装置の動作説明をするための概略構成を模式的に示す側面図である。
【図１４】従来の情報記録再生装置の他の構成例の動作説明をするための概略構成を模式的に示す側面図である。
【図１５】図１４に示した情報記録再生装置の動作説明をするための概略構成を模式的に示す側面図である。
【符号の説明】
１      扉
２、３  キズ防止用の突起
４      カートリッジ
５      シャッタ
６      誤挿入ストッパ
７、１３、１４      摩擦抵抗軽減用の突起
８      記録再生用メカニズム
９      本体
１０    挿入口
１１    右側の突起
１２    左側の突起
【図１】
0004011350.tif 000002
【図２】
0004011350.tif 000003
【図３】
0004011350.tif 000004
【図４】
0004011350.tif 000005
【図５】
0004011350.tif 000006
【図６】
0004011350.tif 000007
【図７】
0004011350.tif 000008
【図８】
0004011350.tif 000009
【図９】
0004011350.tif 000010
【図１０】
0004011350.tif 000011
【図１１】
0004011350.tif 000012
【図１２】
0004011350.tif 000013
【図１３】
0004011350.tif 000014
【図１４】
0004011350.tif 000015
【図１５】
0004011350.tif 000016